(57)【要約】【課題】ドア閉止の検知を確実に行えるような洗濯機を提供する。【解決手段】洗濯物を出し入れする投入口と、前記投入口の一端開口縁部に設けられるヒンジと、前記投入口を挟んで前記ヒンジが設けられる側と反対側となる前記投入口の他端開口縁部に設けられたラッチ受部と、前記ヒンジを介して前記投入口を開閉可能に塞ぐドアと、前記ドアに設けられ、前記ラッチ受部に係止されるラッチと、前記ラッチ受部に設けられ、前記ラッチが係止されたことを検知するドアロック検知部と、前記ラッチ受部とは別位置に設けられ、前記ラッチ受部に対する前記ラッチの位置ずれを補正する位置決め手段と、を具備し、前記位置決め手段は、該ドラム式洗濯機の載置面に対して傾斜しているテーパ面を有している。【選択図】図９
2019111162.tif 000002
【特許請求の範囲】
【請求項１】
洗濯物を出し入れする投入口と、
前記投入口の一端開口縁部に設けられるヒンジと、
前記投入口を挟んで前記ヒンジが設けられる側と反対側となる前記投入口の他端開口縁部に設けられたラッチ受部と、
前記ヒンジを介して前記投入口を開閉可能に塞ぐドアと、
前記ドアに設けられ、前記ラッチ受部に係止されるラッチと、
前記ラッチ受部に設けられ、前記ラッチが係止されたことを検知するドアロック検知部と、
前記ラッチ受部とは別位置に設けられ、前記ラッチ受部に対する前記ラッチの位置ずれを補正する位置決め手段と、を具備し、
前記位置決め手段は、該ドラム式洗濯機の載置面に対して傾斜しているテーパ面を有していることを特徴とするドラム式洗濯機。
【請求項２】
前記位置決め手段は、前記ドアの枠体に設けられていることを特徴とする請求項１に記載のドラム式洗濯機。
【請求項３】
前記位置決め手段は、前記ヒンジよりも下側に設けられていることを特徴とする請求項２に記載のドラム式洗濯機。
【発明の詳細な説明】
【技術分野】
【０００１】
本発明は、洗濯乾燥機に関するものである。
【背景技術】
【０００２】
従来から、ラッチの位置ずれを補正しつつドア閉止の検知を確実に行う技術は用いられることがある。（特許文献１）上記技術は、ドアに別部品を組み込み、所定のはめ合い位置にはめ込み、ドア閉止位置を確定させることでドア閉止の検知を確実に行えるように構造されている。
【先行技術文献】
【特許文献】
【０００３】
【特許文献１】特開２０１５−７７３４８号公報
【発明の概要】
【発明が解決しようとする課題】
【０００４】
上記技術は、ドアに別部品を組み込み、ドアを閉止した際、その部品を所定の位置にはめ込むことでラッチの位置ずれを補正し、ドア閉止検知を確実に行うことができる。しかし、従来の技術では、ドアが大きく下方にずれた場合には、ドア閉止の検知を行えない虞がある。
【０００５】
そこで本発明の目的は、ドア閉止の検知を確実に行えるような洗濯機を提供することである。
【課題を解決するための手段】
【０００６】
前記の課題を解決するために、本発明は、洗濯物を出し入れする投入口と、前記投入口の一端開口縁部に設けられるヒンジと、前記投入口を挟んで前記ヒンジが設けられる側と反対側となる前記投入口の他端開口縁部に設けられたラッチ受部と、前記ヒンジを介して前記投入口を開閉可能に塞ぐドアと、前記ドアに設けられ、前記ラッチ受部に係止されるラッチと、前記ラッチ受部に設けられ、前記ラッチが係止されたことを検知するドアロック検知部と、前記ラッチ受部とは別位置に設けられ、前記ラッチ受部に対する前記ラッチの位置ずれを補正する位置決め手段と、を具備し、前記位置決め手段は、該ドラム式洗濯機の載置面に対して傾斜しているテーパ面を有している。
【発明の効果】
【０００７】
本発明により、ラッチの位置ずれを精度良く補正し、ドア閉止の検知を確実に行うことのできるドラム式洗濯機が得られる。
【図面の簡単な説明】
【０００８】
【図１】本発明の実施形態１におけるドラム式洗濯乾燥機の分解図である。
【図２】本実施形態に係る洗濯乾燥機の適用例としてのドラム式洗濯機の外観斜視図である。
【図３】（ａ）はドアの正面図、（ｂ）はドアの後面図である。
【図４】固定カバーを取り外した状態のドアの後面図、（ｂ）はロック機構を示す後面図である。
【図５】（ａ）は非開操作時（ドア閉止時）におけるラッチとラッチ受部との当接状態を示す図、（ｂ）は開操作時におけるラッチとラッチ受部との離間状態を示す図である。
【図６】（ａ）はドア閉止時におけるドアの横断面図、（ｂ）はラッチの係止の様子を示す端面図である。
【図７】ラッチ受部の拡大斜視図である。
【図８】（ａ）はドアの左側面図、（ｂ）はドア下がり防止部周りの正面図
【図９】（ａ）はドア閉止時におけるドアの縦断面図、（ｂ）はドア下がり防止部の補正の様子を示す端面図である。
【発明を実施するための形態】
【０００９】
以下、図面を参照して、本発明の実施形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
＜洗濯乾燥機の全体構成＞
図１は、本実施形態に係る洗濯乾燥機の適用例としてのドラム式洗濯機の分解斜視図である。なお、本実施形態では、筺体内部の、洗濯機を制御するメイン基板ユニット、洗濯水を循環させる循環手段（配管、ポンプ）、対象物（布類）を乾燥させる乾燥風を循環させる乾燥手段、配管等の構成については図示を省略している。
【００１１】
図１に示すように、ドラム式洗濯機１は、本実施形態に係るドラム式の洗濯乾燥機が一体に組み込まれた洗濯機であり、筐体１内に弾性支持された外槽３と、この外槽３内に回転自在に支持された回転ドラム（内槽）４と、外槽３および回転ドラム４を収容する筐体１０と、を備えて構成されている。
【００１２】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。また、外槽３（外槽カバー３ｂ）の開口部３ｓには、ゴム製のベローズ（不図示）が取り付けられ、ドア２５を閉じることで外槽３を水封するようになっている。また、外槽３は、ダンパ５を介して弾性支持されている。
【００１３】
回転ドラム４は、回転可能に支持された円筒状の洗濯兼脱水槽であり、その外周壁に通水および通風のための多数の貫通孔４ａが形成され、前側端面には、洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ４ｃが設けられている。なお、回転ドラム４の回転中心軸は、略水平又は開口部４ｂ側が高くなるように傾斜している。
【００１４】
筐体１０は、板金（金属、カラー鋼板）をプレス加工等によって、正面に配置される前面パネル（前板）１１と、左右の側面に配置される側面パネル（側板）１４Ａ，１４Ｂと、を有している。また、筐体１０は、板金をプレス加工等によって、上面視において略コ字状に形成されて背面に配置される背面パネル（背板）１６と、外槽３の底側に配置されるベース１７と、外槽３の上方に配置される上面パネル（上板、トップパネル）１８と、を有している。
【００１５】
前面パネル１１は、正面上部に配置される前面上パネル１２と、正面下部に配置される前面下パネル１３と、を有している。前面上パネル１２は、一枚の板金で形成され、正面側を向く平坦部１２ａと、この平坦部１２ａの左右両側において湾曲する湾曲部１２ｂ，１２ｃを有している。前面下パネル１３は、一枚の板金で形成され、前面上パネル１２よりも上下方向に短く形成され、正面側を向く平坦部１３ａと、この平坦部１３ａの左右両側において湾曲する湾曲部１３ｂ，１３ｃと、を有している。また、本実施形態では、前面パネル１１を前面上パネル１２と前面下パネル１３とで分割して構成しているが、１枚のパネルで構成されていてもよい。
【００１６】
湾曲部１２ｂ，１２ｃは、前面上パネル１２の上端から下端に向けて同様の湾曲形状を呈するように形成されている。湾曲部１３ｂ，１３ｃは、前面下パネル１３の上端から下端に向けて同様の湾曲形状を呈するように形成されている。また、湾曲部１２ｂ，１２ｃと湾曲部１３ｂ，１３ｃは、互いに同じ湾曲形状である。これにより、前面上パネル１２と前面下パネル１３とを上下に重ねたときに、平坦部１２ａの表面および湾曲部１２ｂ，１２ｃの表面と、平坦部１３ａの表面および湾曲部１３ｂ，１３ｃの表面とが面一となるように構成されている。
【００１７】
前面上パネル１２の平坦部１２ａには、ヒンジを介してドア２５が取り付けられている。前面下パネル１３の平坦部１３ａには、図示しない糸くずフィルタのフィルタ部材を出し入れするためのフタ１３ｄが取り付けられている。
側面パネル１４Ａは、板金をプレス加工等によって形成されたものであり、前面パネル１１と同じ高さに形成され、該側面パネル１４Ａの後端に、内側に湾曲する湾曲部１４ａが形成されている。湾曲部１４ａは、上端から下端に向けて同様の湾曲形状を呈するように形成されている。また、側面パネル１４Ａには、運搬時に使用される手掛け部１４ｂが上下に複数箇所形成され、また補強用の凹部１４ｃが複数形成されている。
【００１８】
側面パネル１４Ｂは、板金をプレス加工等によって形成されたものであり、側面パネル１４Ａと左右対称形状であり、側面パネル１４Ａの湾曲部１４ａ、手掛け部１４ｂおよび凹部１４ｃと同様に、湾曲部１４ａ、手掛け部１４ｂおよびリブ１４ｃが形成されている。
背面パネル１６は、板金をプレス加工等によって形成されたものであり、背面上部に設けられる背面上パネル１６Ａと、背面中央から底部にかけて設けられる背面下パネル１６Ｂと、を備えて構成されている。また、背面上パネル１６Ａおよび背面下パネル１６Ｂは、左右の両端に、側面パネル１４Ａ，１４Ｂ側に向けて湾曲する湾曲部１６ａ，１６ｂが形成されている。
【００１９】
ベース１７は、例えば合成樹脂製であり、内側に格子状のリブが形成されて補強が施されている。また、ベース１７には、側面パネル１４Ａ，１４Ｂの下端がそれぞれネジなどで固定されている。
【００２０】
上面パネル１８は、例えば合成樹脂を成形することで形成され、上面視において略矩形状に形成されている。また、上面パネル１８は、１枚の板状に構成され、前面パネル１１と側面パネル１４Ａ，１４Ｂと背面パネル１６とが連結されて構成された上面開口を塞ぐように構成されている。
【００２１】
また、上面パネル１８には、前後方向の手前左側に洗剤投入部２０、手前右側に操作パネル２２が取り付けられている。
【００２２】
また、筐体１０は、前面上部補強板３１、前面下部補強板３２、上部補強板３５、上部連結補強部３６によって補強されている。
【００２３】
前面上部補強板３１は、側面パネル１４Ａ，１４Ｂに架け渡され、側面パネル１４Ａ，１４Ｂの前面側の上端同士を連結している。すなわち、前面上部補強板３１は、板金をプレス加工等によって形成したものであり、前面に位置して直線状に延びる板部３１ａと、この板部３１ａの左右両端において外槽３側に折り曲げ形成される曲げ部３１ｂ，３１ｃと、を有している。また、板部３１ａには、当該板部３１ａと開口部４ｂとが前後方向において重ならないように切欠部３１ｄが形成されている。
【００２４】
前面下部補強板３２は、側面パネル１４Ａ，１４Ｂに架け渡され、側面パネル１４Ａ，１４Ｂの前面側の下部同士を連結している。すなわち、前面下部補強板３２は、板金をプレス加工等によって形成したものであり、前面に位置して直線状に延びる板部３２ａと、この板部３２ａの左右両端において外槽３側に折り曲げ形成される曲げ部３２ｂ，３２ｃと、を有している。また、板部３２ａには、当該板部３２ａと開口部４ｂとが前後方向において重ならないように切欠部３２ｄが形成されている。
【００２５】
また、前面下部補強板３２は、下部補強支持板３３，３４によって連結されている。下部補強支持板３３は、前面下部補強板３２の曲げ部３２ｂと連結される上部連結部３３ａと、ベース１７に固定される下部連結部３３ｂと、を有している。下部補強支持板３４は、前面下部補強板３２の曲げ部３２ｃと連結される上部連結部３４ａと、ベース１７に固定される下部連結部３４ｂと、を有している。
【００２６】
上部補強板３５は、側面パネル１４Ａ，１４Ｂに架け渡され、側面パネル１４Ａ，１４Ｂの上端縁同士を連結している。すなわち、上部補強板３５は、板金をプレス加工等によって形成したものであり、上面に位置して直線状に延びる板部３５ａと、この板部３５ａの左右両端において外槽３側に折り曲げ形成される曲げ部３５ｂ，３５ｃと、を有している。また、板部３５ａは、図示しないメイン基板ユニットを取り付けるための取付部が板部３５ａの一部を凹状に曲げ形成することで構成されている。
【００２７】
上部連結補強部３６は、上部補強板３５と背面パネル１６とを連結している。また、上部連結補強部３６は、合成樹脂により成型されたものであり、上部補強板３５と背面パネル１６とを図示しないねじを介して結合するものである。また、上部連結補強部３６は、前後方向に延び、かつ、左右方向の中央部に位置するように配置されている。なお、合成樹脂としては、高強度および耐摩耗性に優れた樹脂、具体的にはＰＯＭ（ポリオキシメチレン樹脂）を選択することができる。
【００２８】
また、上部連結補強部３６の左右には、給水ユニット（不図示）や乾燥フィルタユニット３７などが取り付けられる。図示しない給水ユニットは、給水管（不図示）、給水ホース接続口１８ｆ（図２参照）および風呂水ホース接続口１８ｇ（図２参照）に接続される洗剤給水電磁弁、風呂水を吸い上げるポンプなどである。
【００２９】
図２は、本発明に係る洗濯乾燥機の適用例としてのドラム式洗濯機の外観斜視図である。図２に示すように、前面上パネル１２の湾曲部１２ｂおよび前面下パネル１３の湾曲部１３ｂは、ドア２５の右端の位置から側面パネル１４Ａに向けて湾曲して形成されている。また、前面上パネル１２の湾曲部１２ｃおよび前面下パネル１３の湾曲部１３ｃは、ドア２５の左端の位置から側面パネル１４Ｂ（図１参照）に向けて湾曲して形成されている。このように、本実施形態のドラム式洗濯機１は、前面パネル１１が、ドア２５の幅の位置から側面パネル１４Ａ，１４Ｂに向けて（左右に向けて）大きく湾曲した形状を有している。
【００３０】
また、上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。また、上面パネル１８の外周縁部は、前面パネル１１の上端縁部と、側面パネル１４Ａの上端縁部と、側面パネル１４Ｂ（図１参照）の上端縁部と、背面パネル１６の上端縁部と、重なるように構成されている。
【００３１】
筐体１０の内部には、対象物（布類）を乾燥させる乾燥風が通る送風路（不図示）が設けられている。その送風路上には、埃を捕集するための乾燥フィルタユニット３７が着脱自在に配置されている。
【００３２】
次に、ドア２５や投入口の開口縁部の構成について詳細に説明する。
ドア２５は、図３（ａ）（ｂ）に示すように、正面視、後面視で円形状を呈している。ドア２５の外周部には取手２００が設けられている。また、ドア２５を構成する枠体１９０には、位置決め手段を構成する凸部２２０（図）が突設されている。
【００３３】
ドア２５は、図２に示すように前面パネル１２ａに設けられた円形状の投入口を閉塞する扉の役割をなす。ドア２５は、左側周部に設けられたヒンジを介して筐体１に開閉可能に設けられている。投入口の開口縁部には投入口を仕切るリング状のカバー部材が取り付けられている。カバー部材は滑り性のよい表面加工が施された、例えば、合成樹脂やステンレス鋼等の金属材を用いることができる。
【００３４】
図３（ｂ）に示すように、ドアの右側周部（ヒンジが取り付けられるヒンジ取付け部と反対側となる周部）には、ドア２５を閉位置でロックするラッチ２１を含むロック機構が設けられている。また、ラッチ２１の上側には、取手２００が配置されており、取手２００は、ラッチ２１のロックを解除するように作用する。（図５（ａ）に示す係止状態、図５（ｂ）に示す解除状態）。
【００３５】
具体的に、ドア２５は、リング状の枠体１９０と、枠体１９０の前面に固定された窓部材２１０と、枠体１９０の後面に固定された薄板リング状の固定カバー２２６と、枠体１９０と固定カバー２２６との間に脱落不能に保持されたドアガラス２２５と、を備えて構成されている。
【００３６】
枠体１９０は、合成樹脂で一体的に形成されており、前面側に向けて略湾曲状に膨出し、後面側が開口形成された断面略C字形状を呈している。枠体１９０は、投入口の開口縁部のカバー部材に対向する部材である。枠体１９０の内側には、図４（ａ）に示すように、周方向に円接されたリブや、このリブに公差するように径方向に延設されたリブが形成されている。リブには、周方向に一つ置きにボスが一体的に形成されている。ボスには、固定カバー２２６を固定するための固定ネジが螺合される。
【００３７】
図４（ａ）に示すように、枠体１９０の後面には、ヒンジを固定するための金属製の座板が設置されている。この座板は、固定カバーを取り付ける際に、固定ねじによって固定される。
【００３８】
また、枠体１９０の上側および下側の内面には、当接部材が設けられている。これらの当接部材は、ドア２５を閉止した際に、投入口のカバー部材の対向面に当接する。なお、当接部材の先端部には、弾性部材が取り付けられている。
【００３９】
取手２００は、硬質の合成樹脂により一体的に形成されており、図４（ａ）に示すように、基部と、この基部の一端から延びてドア２５の外周縁部から延出する指掛け部とをそなえている。なお、取手２００は、筐体１の前面の最大突出部よりも後方側に配置されている。
【００４０】
基部には、図４（ｂ）に示すように、長手方向の両端部に回動軸が突設されており、さらに回動軸の側方には、回動軸に並んで延部が設けられている。延部の先端部には、図５（ａ）（ｂ）に示すように、ラッチ２１の端部２１ａに当接する平らな当接面２２ｃ１と、当接面２２ｃ１に連続して形成された傾斜部２２ｄと、が設けられている。
【００４１】
傾斜部２２ｄは、図４（ｂ）に示すように、取手２００の開操作時にラッチ２１の端部２１ａに当接してラッチ２１に、解除方向への回動力を付与する。取手２００の開操作時の作用については後記する。
【００４２】
取手２００には、図４（ｂ）に示すように、長手方向の両端部の回動軸を枠体１９０の内面に設けられた支持部にそれぞれ支持することによって、枠体１９０に回動可能に取り付けられる。取付けに際しては、回動軸を支持部に指示しておいてから、回動軸をＣ字形状の支持部に嵌め込む（枠体１９０の径方向から嵌め込む）ことで、取手２００を組み付けられる。
なお、枠体１９０には、取手２００の回動を初期位置（ドア２５の閉位置）に付勢するためのばね部材が配置されている。このばね部材により、取手２００は、枠体１９０に設けられた規制リブに基部が当接する状態で位置決めされ、この状態で、指掛け部が、枠体１９０の周部に設けられた切欠部を通じて枠体２２６の外周縁部に延出する。これにより、指掛け部の一部がドア２５の前面にオーバーラップする状態となる。
【００４３】
ロック機構は、図４（ｂ）に示すように、ラッチ２１と付勢バネとシャフトとを備えている。
ラッチ２１は、合成樹脂により形成されており、図５（ａ）（ｂ）に示すように、側面視略Ｌ字状を呈している。ラッチ２１は、板状の支持部２１ｃと、支持部２１ｃから立設されたフック部２１ｄとを有している。支持部２１ｃの端部２１ａは、先細り形状とされており、取手２００の当接面に後報から当接する（重なる状態で配置される。）
【００４４】
また、支持部２１ｃの反対側の端部には、図４（ｂ）に示すように、溝２１ｄとの連結部には、シャフト挿通部２１ｅが形成されており、ラッチ２１は、このシャフト挿通部２１ｅに挿通されるシャフト２９を中心として回動可能に枠体２２６に組み付けられる。
フック部２１ｄに形成されるフックは、その先端部２１ｍが枠体１９０の径方向内側に向くように設けられている。フック部２１ｄの反フック側には、枠体１９０の径方向外側へ向けて突出する突出部２１ｐが形成されている。
【００４５】
付勢ばねは、図４（ｂ）に示すように、ねじりコイルばねであり、一方の端部がラッチ２１の溝２１ｂに係止され、他方の端部が枠体１９０の係止部に係止される。これにより、ラッチ２１は、シャフト２９を中心としてフック部２１ｄのフックが後記するようにラッチ受部２６０に係止される方向（シャフト２９の左回り方向）に付勢されるようになっている。
【００４６】
シャフト２９は、枠体１９０に立設された支持部を通じてラッチ２１のシャフト挿通部２１ｅおよび付勢ばねに挿通されるようになっており、これらを指示して枠体１９０に保持する役割をなす。
なお、支持部の側方には、シャフト２９の脱落を防止する抜け止め片が立設されている。この抜け止め片は、薄板状を呈しており、枠体２２６の径方向に傾倒可能な弾性力を有したものとなっている。
【００４７】
図６（ａ）に示すように、ヒンジが設けられている側と反対側となる投入口の他端開口縁部には、ラッチ受部２６０が設けられている。ラッチ受部２６０には、図６（ｂ）に示すように、ドア閉止時のラッチ２１が係止可能である。ラッチ受部２６０は、図７に示すように、ラッチ２１が挿通される長方形状の開口部を有しており、その開口縁には、開口へ向けて広がる傾斜状の案内部２６２ａ〜２６２ｃが形成されている。
【００４８】
図７に示すように、ラッチ受部２６０の内側（後方側）には、ドアロック検知部２６５が設けられている。ドアロック検知部２６５は、図５（ａ）に示すように、ラッチ２１の先端部２１ｍによって押圧されてスライド移動する検出部２６５ａを有している。検出部２６５ａは、ラッチ２１の先端部２１ｍがラッチ受部２６０の係止受部２６６に係止された際に、図中白抜き矢印方向に押圧されて移動するように構成されている。ドアロック検知部２６５は、検出部２６５ａが図中矢印方向に押圧されて移動することで、ラッチ２１の先端部２１ｍがラッチ受部２６０の係止受部２６６に係止されたこと、すなわち、ドア２５が閉止されたことを検知する。
【００４９】
また、ドア２の閉状態において、取手２００が開操作されると、取手２００の延部が回転し、係止フックの支持部２１ｃの端部２１ａが押される。これにより、係止フック２１の係止が解除される方向に係止フック２１が回転する（図５（ｂ）参照）。
ラッチ２１の係止が解除されると、図示しない付勢部材等によって検出部が図中白抜き矢印方向（解除方向）に移動し、ドア閉止の検知が解除される。
【００５０】
位置決め手段を構成するドア下がり防止部２２０は、図４（ｂ）、図８（ａ）（ｂ）に示すように、枠体１９０の外周部に設けられている。凸部２２０は、ドア２５の中央よりもヒンジ側において、座板の周方向下側となる位置に配置されている。凸部２２０は、枠体１９０と一体的に形成されており、テーパ面２２７を有している。
【００５１】
ドア２５は、図９（ａ）（ｂ）に示すように、テーパ面２２７にて前面パネル１２に接触し、テーパ面２２７はドラム式洗濯機１の載置面に対して傾斜しているため、テーパ面２２７にて持ち上げられることにより、投入口を好適に密閉する状態に投入口の開口縁部に位置決めされる。
ラッチ２１は、このようにドア２５が位置決めされた状態で、ドア閉止時にラッチ受部２６０の下側の案内部２６２ｃに当接することなく、ラッチ受部２６０内に挿入されるように構成されている。
【００５２】
ドアガラス２２５は、図６（ａ）、図８（ａ）に示すように、断面略ハット状を呈しており、周部に形成されたフランジ部が固定カバー２２６で枠体１９０に押さえられることで、枠体２２６と固定カバー１９０との間に脱落不能に保持されている。
ドアガラス２２５の上部には、傾斜面が形成されている。この傾斜面は、外槽の開口部を通じて吹き出された温風を。ドラム内に好適に導く役割をなす。
【００５３】
次に、ドア閉止時の作用について説明する。
例えば、洗濯時に投入口を通じてドラム内に衣類等を収容した後、開いた状態のドア２５に手をあてがう等してドア２５を閉じる方向に操作すると、ドア２５はヒンジを介して回動され、投入口を塞ぐ状態に投入口の開口縁部に近づく。そうすると、ラッチ２１よりもヒンジに近い側に設けられたドア２５のドア下がり防止部２２０のテーパ面２２７が、前面パネル１２に接触し、テーパ面２２７はドラム式洗濯機１の載置面に対して傾斜しているため、テーパ面２２７にてドア２５は持ち上げられる。これにより、ドア２５が閉じられる過程で、投入口を好適に密閉する状態に投入口の開口縁部に位置決めされる。
【００５４】
ここで、仮に、開かれたドア２５に対する下方向の外力が作用すること等により、ドア２５が所定位置よりも下がる状態に位置ずれを生じている場合には、ドア下がり防止部２２０が、前面パネルの投入口の開口縁部に当接する。そうすると、ドア下がり防止部２２０のテーパ面２２７が開口縁上の傾斜を上るように、持ち上げられる。これにより、ドア２５の位置売れが補正されることとなり、ラッチ受部２６０に対するラッチ２１の位置ずれが補正されることとなる。
【００５５】
その後、ドア２５を投入口の開口縁部にさらに近づけると、ラッチ２１がラッチ受部２６０内に挿入される。この場合、位置決め手段によりドア２５が位置決めされた状態で、ラッチ２１がラッチ受部２６０内に挿入されるので、挿入時にラッチ受部２６０の下側の案内部２６２ｃにラッチ２１の先端部２１ｍが当接することがなく、スムーズな挿入が実現される。
【００５６】
挿入後、ラッチ２１の先端部２１ｍが係止受部２６６側に移動して、先端部２１ｍが係止受部２６６に係止される。これにより、ドアロック検知部２６５の検出部２６５ａが先端部２１ｍにより押圧され、ドアロック検知部２６５によってドア閉止が検知される。
ここで、ラッチ２１の先端部２１ｍは、ラッチ受部２６０内に挿入された後、係止受部２６６が側にスムーズに移動される。これは、挿入時に下側の案内部２６２ｃ等にラッチ２１の先端部２１ｍが当接することがなく、当接したときのような抵抗を先端部２１ｍが受けないからであり、先端部２１ｍの移動の自由度が確保されるからである。これにより、ドアロック検知部２６５によるドア閉止の検知を確実に行うことができる。
【００５７】
以上説明した本実施形態のドラム式洗濯乾燥機によれば、ラッチ受部２６０に対するラッチ２１の位置ずれを補正する位置決め手段（ドア下がり防止部２２０）がラッチ受部２６０とは別位置に設けられており、ラッチ２１の位置ずれを補正する機能とドアロックの検知機能との２つの機能を別々に設けたので、位置決め手段により位置ずれを好適に補正しつつ、ラッチ受部２６０によりドア閉止の検知を確実に行うことができる。
【００５８】
位置決め手段は、ドア２５に設けられるドア下がり防止部２２０でのみ構成されており、ラッチ２１の位置ずれを補正する機能を安価に得ることができる。また、位置決め手段の構成として、枠体１９０にドア下がり防止部を付与すればよいので、洗濯機の大幅な設計変更を必要とせずにラッチ２１の位置ずれを補正する機能を実現可能である。
【００５９】
位置決め手段は、ヒンジよりも下側に設けられているので、ドアガラス２２５等に遮られて、ドア下がり防止部２２０が使用者に見え難い。したがって、ドア２５等のデザイン性が損なわれることもない。
【００６０】
以上、本発明を実施形態に基づいて詳細に説明したが、本発明の内容は以上の説明に限定されるものではなく、種々の改変や変更も本発明の趣旨を逸脱しない範囲で本発明に含まれる。
例えば、以上の説明では、枠体１９０にドア下がり防止部２２０を設けたが、固定カバー２２６や投入口の開口縁部に設けてもよい。
【００６１】
また、位置決め手段（ドア下がり防止部２２０）は、一箇所に設けたが、ドアの周方向に間隔を空けて複数箇所に設けてもよい。
【００６２】
さらに、位置決め手段は、投入口の中央よりもヒンジ側に設けられたものを示したが、投入口の中央よりもラッチ側に設けてもよい。また、投入口の中央に設けてもよい。
【００６３】
また、位置決め手段は、ヒンジよりも下側に設けたが、これに限られることはなく、ヒンジよりも上側に設けてもよく、ヒンジの上下両側に設けてもよい。
【図１】
2019111162.tif 000003
【図２】
2019111162.tif 000004
【図３】
2019111162.tif 000005
【図４】
2019111162.tif 000006
【図５】
2019111162.tif 000007
【図６】
2019111162.tif 000008
【図７】
2019111162.tif 000009
【図８】
2019111162.tif 000010
【図９】
2019111162.tif 000011